(57)【要約】      （修正有）【課題】長物野菜のような細長い被選別物を対象とする搬送方向幅の狭い形態の選別皿にあって、被選別物を一個宛て載置したり、搬送しながら一皿毎に計量選別処理する場合、正確な処理作動が行われ、選別処理能率を高めることができる選別装置を提供する。【解決手段】供給コンベア１と、選別コンベア３との間に、供給される被選別物を受けて一個毎前後に交互に振分ると共に、振分られた各被選別物を計量しながら、選別コンベア３の前後各選別皿２に載せる振分計量装置４を設ける。計量された被選別物は、選別コンベア３の各選別皿２に、前後交互に受けられる。後側位置から落下供給される被選別物を受けた選別皿２の直前、又は直後に続く選別皿２に、前側位置から落下供給される被選別物を受けて、各選別皿２は空皿の無い状態に密載状態で搬送することができる。【選択図】図１
2008012521.tif 000002
【特許請求の範囲】
【請求項１】
被選別物を載せて供給搬送する供給コンベア（１）と、この供給コンベア（１）から供給される被選別物を選別皿（２）に受けて搬送しながら選別位置へ排出する選別コンベア（３）との間に、前記供給コンベア（１）から供給される被選別物を受けて一個毎前後に交互に振り分けると共に、この振り分けられた各被選別物を計量しながら、選別コンベア（３）の前後各個の選別皿（２）に載せる振分計量装置（４）を設けたことを特徴とする選別装置。
【請求項２】
前記供給コンベア（１）は、被選別物を一個毎仕切って載せる仕切片（５）付きの形態とし、前記振分計量装置（４）は、この仕切毎に供給される被選別物を受けて前後に回動して振り分ける振分弁（６）を設けたことを特徴とする請求項１に記載の選別装置。
【請求項３】
前記振分計量装置（４）は、振分弁（６）によって案内供給される被選別物を受けて仕切回転しながら一個毎計量器（７）上へ落下させると共に、更に選別コンベア（３）の選別皿（２）上へ繰り出す繰出羽根板（８）と、この繰出羽根板（８）の回転周面に沿う繰出案内板（９）、及びこの繰り出し案内板（９）によって案内される被計量物を受けて計量する該計量器（７）の計量受板（１０）を設けたことを特徴とする請求項１、又は２に記載の選別装置。
【請求項４】
前記供給コンベア（１）上には、被選別物の底面を受けて一側へ回転する揃えローラ（１１）と、この揃えローラ（１１）によって揃えられた被選別物の一側端を切断するカッター（１２）を設けたことを特徴とする請求項１、２、又は３に記載の選別装置。
【発明の詳細な説明】
【技術分野】
【０００１】  この発明は、多数の選別皿を無端状に連接して回転搬送する形態の選別コンベアに対して、供給コンベアから連続的に供給する被選別物を、前後に振り分けて各々計量しながら、前後の選別皿に交互に供給する選別装置に関する。芋類、根菜類、果実類、魚介類等の選別装置として適し、とくに、アスパラガスや、フキ、ゴボウのような長物野菜等の選別に適する。
【背景技術】
【０００２】  搬送チエンに多数の選別皿を無端状に連接配置して回転移送しながら、この各選別皿に被選別物を供給載置して搬送しながら、この搬送途中で計量すると共に、選別位置まで搬送してこの選別皿を転倒させて、被選別物を所定の選別位置に排出させる形態の選別コンベアの技術が知られている。
【発明の開示】
【発明が解決しようとする課題】
【０００３】  前記のような選別皿形態の選別コンベアでは、各選別皿が被選別物を一個毎載置して搬送する形態であるから、特に、長物野菜のような細長い被選別物を対象とする搬送方向幅の狭い形態の選別皿にあっては、被選別物を一個宛て載置したり、又、搬送しながら一皿毎に計量選別処理する場合、正確な処理作動が行われ難く、選別処理能率を高めることができない。
【課題を解決するための手段】
【０００４】  請求項１に記載の発明は、被選別物Ｗを載せて供給搬送する供給コンベア１と、この供給コンベア１から供給される被選別物Ｗを選別皿２に受けて搬送しながら選別位置へ排出する選別コンベア３との間に、前記供給コンベア１から供給される被選別物Ｗを受けて一個毎前Ａ、後Ｂに交互に振り分けると共に、この振り分けられた各被選別物Ｗを計量しながら、選別コンベア３の前後各選別皿２Ａ、２Ｂに載せる振分計量装置４を設けたことを特徴とする選別装置の構成とする。供給コンベア１によって連続的に供給される被選別物Ｗは、振分計量装置４において前Ａ、後Ｂに交互に一個毎振り分けられて、これら振り分けられた各被選別物Ｗ毎に計量作用が行われ、更にこれら前後位置で各々計量された被選別物Ｗは、これらの下側を移動している選別コンベア３の各選別皿２に、前後交互に受けられる。このため後側位置Ｂから落下供給される被選別物Ｗを受けた選別皿２Ｂの直前、又は直後に続く選別皿２Ａに、前側位置Ａから落下供給される被選別物Ｗを受けて、各選別皿２は空皿の無い状態に密載状態で搬送することができる。このようにして振分計量装置４によって供給された各選別皿２上の被選別物Ｗの重量は既に計量されているために、この計量に基づいて、この選別コンベア３によって所定の選別位置に搬送することにより、各選別皿２が転倒されて、被選別物Ｗを選別排出するものである。【０００５】  請求項２に記載の発明は、前記供給コンベア１は、被選別物Ｗを一個毎仕切って載せる仕切片５付きの形態とし、前記振分計量装置４は、この仕切毎に供給される被選別物Ｗを受けて前後に回動して振り分ける振分弁６を設けたことを特徴とする。該供給コンベア１には被選別物Ｗを前後の各仕切片５間に一個宛て載せて供給する。この供給コンベア１の回転によって前側へ搬送して、仕切片５間毎の被選別物Ｗが一個毎繰り出される。この繰り出された被選別物Ｗは、この仕切片５の繰出作動と一定のタイミングのもとに振分弁６が前Ａ、後Ｂに振分回動して、被選別物Ｗを前Ａ側へ振分案内すると、次には後Ｂ側へ案内し、更に、次には前Ａ側へ案内するように、供給コンベア１から連続的に繰り出されてくる被選別物Ｗを一個毎前Ａ、後Ｂに交互に振分案内ける。【０００６】  請求項３に記載の発明は、前記振分計量装置４は、振分弁６によって案内供給される被選別物Ｗを受けて仕切回転しながら一個毎計量器７上へ落下させると共に、更に選別コンベア３の選別皿２上へ繰り出す繰出羽根板８と、この繰出羽根板８の回転周面に沿う繰出案内板９、及びこの繰出案内板９によって案内される被選別物Ｗを受けて計量する該計量器７の計量受板１０を設けたことを特徴とする。前記振分弁６回動によって前後に交互に振り分けられた被選別物Ｗは、この振分弁６の前後下部に配置した各繰出羽根板８Ａ、８Ｂの回転域に交互に供給される。各繰出羽根板８においては、この回転方向前後の繰出羽根板８間の羽根間隔部２０に被選別物Ｗが供給されて、この羽根間隔部２０では回転の上位置から下位置にわたる回転位相の移動によって、繰出羽根板８によって受けられていた被選別物Ｗは、この回転周面部の繰出案内板９面に案内されて、この下側の計量受板１０に落下案内される。この計量受板１０によって受けられる被選別物Ｗは、この羽根間隔部２０前後の繰出羽根板８の回転速度よりも早く落下して最下端部の計量受板１０に受けられて、繰出羽根板８による繰出作用を受けないタイミングを有し、このタイミングを計量に要する時間（計量間隔）として、この計量間隔において計量器７による計量を行わせる。この計量受板１０上面に受けられて計量された被選別物Ｗは、該繰出羽根板８の回転によって掻き出されて、下側を移送される選別皿２に落下供給される。後側の繰出羽根板８Ｂによって供給される選別皿２Ｂは一皿おきに行われ、この被選別物Ｗの供給されなかった空きの選別皿２Ａに対して、前側の繰出羽根板８Ａにより被選別物Ｗの繰出供給が行われる。【０００７】  請求項４に記載の発明は、前記供給コンベア１上には、被選別物Ｗの底面を受けて一側へ回転する揃えローラ１１と、この揃えローラ１１によって揃えられた被選別物Ｗの一側端を切断するカッター１２を設けたことを特徴とする。供給コンベア１の各仕切片５間に供給された被選別物Ｗが長物である場合は、搬送途中でこの被選別物Ｗの下面を回転する揃えローラ１１による接触を受けて、この搬送方向の一側へ移動されて揃えられる。このとき被選別物Ｗは各前後の仕切片５間の谷間部間に位置するため、この仕切片５間に沿って横方向へ揃え移動案内されるため、揃えローラ１１による摩擦力を受けても、被選別物Ｗの搬送姿勢を乱さない。そして、この揃えられた被選別物Ｗの一端部をカッター１２に作用させて切断し、各被選別物Ｗの長さを揃える。又、この揃えローラ１１を搬送方向へ向けて上り傾斜に設定構成する場合にあっては、被選別物Ｗが湾曲した形態であっても、この底面に揃えローラ１１の回転周面を正確に摺接させて、的確な揃え作用を行うことができる。
【発明の効果】
【０００８】  請求項１に記載の発明は、供給コンベア１によって連続的に供給される被選別物Ｗを、振分計量装置４において前Ａ、後Ｂに交互に一個毎振り分けて、これら振り分けられた各被選別物Ｗ毎に計量作用を行い、さらに、これら前Ａ、後Ｂ位置で各々計量された被選別物Ｗを、これらの下側を回転移動している選別コンベア３の各選別皿２に、前後交互に受けるように供給する。このため供給コンベア１によって搬送する被選別物Ｗの搬送供給が連続的であっても、これから前Ａ、後Ｂに振り分けた被選別物Ｗを計量する計量作用や、選別皿へ供給する供給作用等の各作用間隔を長くすることができるため、正確な計量、選別皿２への供給を行うことができ、選別皿２への供給、および選別作用等を能率的に行うことができる。【０００９】  請求項２に記載の発明は、前記供給コンベア１の各仕切片５間に受けられて繰り出される被選別物Ｗを、この仕切間隔毎に振分弁６によって前Ａ、後Ｂに振分けるため、供給コンベア１から連続的に送られてくる被選別物Ｗを一個宛て正確に振り分けることができ、小さく、又は細い被選別物Ｗであっても被選別物Ｗを一個宛て正確に前後に分配して、的確に能率よく計量、及び各選別皿２へ供給することができる。【００１０】  請求項３に記載の発明は、前記振分弁６回動によって前Ａ、後Ｂに交互に振り分けられた被選別物Ｗを、この振分弁６の前後下部に配置した各繰出羽根板８Ａ、８Ｂの回転域に交互に供給して、各繰出羽根板８においては、回転する前後の繰出羽根板８間の羽根間隔部２０に供給して、この羽根間隔部２０では回転の上位置から下位置にわたる回転位相の移動によって、繰出羽根板８によって受けられていた被選別物Ｗをこの回転周面部の繰出案内板９面に案内して、この下側の計量受板１０上面に落下案内する。この計量受板１０によって受けられる被選別物Ｗを、この羽根間隔部２０後側の繰出羽根板８の回転速度よりも早く落下して最下端部の計量受板１０に受けられて、繰出羽根板８による繰出作用、乃至繰出抵抗等を受けない計量間隔を有して、この計量間隔において計量器７による正確な計量を行うことができる。この計量受板１０において受けられて計量された被選別物Ｗを、該繰出羽根板８の回転によって掻き出して、下側を移送される各選別皿２に落下供給し、後側の繰出羽根板８Ｂによって供給される選別皿２Ｂは一皿おきに行い、この被選別物Ｗを供給しなかった空きの選別皿２Ａに対して、前側の繰出羽根板８Ａにより被選別物Ｗの繰出供給を行うため、前後の各繰出羽根板８による繰出速度を緩やかにすることができ、選別皿２への供給を正確で、安定して行うことができる。【００１１】  請求項４に記載の発明は、供給コンベア１の各仕切片５間に供給される被選別物Ｗが長物である場合は、この搬送途中で下面が回転する揃えローラ１１による接触を受けて、この搬送方向の一側へ移動されて揃えられる。このとき被選別物Ｗは各前後の仕切片５間の谷間部間に位置するため、この仕切片５間に沿って移動案内されるため、揃えローラ１１による摩擦力を受けても、被選別物Ｗの搬送姿勢を乱すことはなく、しかも、この揃えられた被選別物Ｗの一端部をカッター１２に作用させて切断させることによって、的確に���さ揃えを行うことができ、構成を簡単にすることができる。又、この揃えローラ１１を搬送方向へ向けて上り傾斜に設定構成する場合にあっては、被選別物Ｗが湾曲した形態であっても、この底面に揃えローラ１１の回転周面を正確に摺接させて、揃え効果を高めることができる。
【発明を実施するための最良の形態】
【００１２】  図面に基づいて、収穫されたアスパラガス野菜を選別する選別装置を例示すもので、機台１５上には、後端部にアスパラガス等の長物野菜である被選別物Ｗを載置して搬送するラグ付きの補給コンベア１６を設け、この前側には、この補給コンベア１６からの被選別物Ｗを各前後の仕切片５間に嵌合するようにして受け継いで搬送する仕切片５付きの供給コンベア１を連動回転するように設け、この供給コンベア１の終端部上に、被選別物Ｗの長さを切り揃えるカッター１２を設ける。この供給コンベア１の前端部下方に、多数の選別皿２を無端状に配置した選別コンベア３を前後方向に張設して無端回転駆動する。左右一対のチエン１７間にわたる支持軸１８によって回動可能に支架される選別皿２は、前後幅を狭く、左右横幅を長くして形成し、長物を支持し易い形態に構成している。この選別コンベア３の搬送行程の選別位置で被選別物Ｗを排出するときは、この選別皿２を該支持軸１８の周りに下方へ転倒回動させて、この選別皿２に受けていた被選別物Ｗを計量器７、及びこのコントローラからの選別指示に基づいて選別位置へ排出するように構成している。この選別コンベア３の下側には、該選別皿２から落下される選別物を取り出す排出シュート１９、乃至排出ホッパーを配置している。このような供給コンベア１の前端下部と、選別コンベア３の後端始端上部との間に、この供給コンベア１から搬送された被選別物Ｗを受けて、一個毎前Ａ、後Ｂに交互に振り分けるように案内すると共に、これを計量して、下方の選別皿２に落下供給する振分計量装置４を構成する。【００１３】  ここにおいて、この発明に係る選別装置は、被選別物Ｗを載せて供給搬送する供給コンベア１と、この供給コンベア１によって供給される被選別物Ｗを選別皿２に受けて搬送しながら選別位置へ排出する選別コンベア３との間に、前記供給コンベア１から供給される被選別物Ｗを受けて一個毎前Ａ、後Ｂに交互に振り分けると共に、この振り分けられた各被選別物Ｗを計量しながら、選別コンベア３の前後各個の選別皿２Ａ、２Ｂに載せる振分計量装置４を設けたことを特徴とする選別装置の構成とする。供給コンベア１によって連続的に供給される被選別物Ｗは、振分計量装置４において前Ａ、後Ｂに交互に一個毎振り分けられて、これら振り分けられた各被選別物Ｗ毎に計量作用が行われ、さらに、これら前後位置Ａ、Ｂで各々計量された被選別物Ｗは、これらの下側を回転移動している選別コンベア３の各選別皿２Ａと、２Ｂに交互に供給されて受けられる。このため後側位置Ｂから落下供給される被選別物Ｗを受けた選別皿２Ｂの直前、又は直後に続く選別皿２Ａに、前側位置Ａから落下供給される被選別物Ｗを受けて、各選別皿２は空皿の無い状態に密載状態で搬送することができる。このようにして振分計量装置４によって供給された各選別皿２上の被選別物Ｗの重量は既に計量されているために、この計量に基づいて、この選別コンベア３の搬送によって所定の選別位置に搬送されることにより各選別皿２が転倒されて、被選別物Ｗを選別排出するものである。【００１４】  又、前記供給コンベア１は、被選別物Ｗを一個毎仕切って載せる仕切片５付きの形態とし、前記振分計量装置４は、この仕切毎に供給される被選別物Ｗを受けて前後に回動して振り分ける振分弁６を設けたことを特徴とする。前記供給コンベア１に被選別物Ｗを前後の各仕切片５間に一個宛て載せて供給する。この供給コンベア１の回転によって前側へ搬送されて、仕切片５間毎の被選別物Ｗが一個毎繰り出される。この繰り出された被選別物Ｗは、この仕切片５の繰出作動と一定のタイミングのもとに振分弁６が前後回動して、被選別物Ｗを前Ａ側へ振分案内すると、次には後Ｂ側へ案内し、更に、次には前Ａ側へ案内するように、供給コンベア１から連続的に繰り出されてくる被選別物Ｗを一個毎前Ａ、後Ｂに交互に振分案内ける。【００１５】  又、前記振分計量装置４は、振分弁６によって案内供給される被選別物Ｗを受けて仕切回転しながら一個毎計量器７Ａ、７Ｂ上へ落下させると共に、更に選別コンベア３の選別皿２上へ繰り出す繰出羽根板８Ａ、８Ｂと、この繰出羽根板８の回転周面に沿う繰出案内板９、及びこの繰出案内板９によって案内される被選別物Ｗを受けて計量する該計量器７の計量受板１０を設けたことを特徴とする。前記振分弁６回動によって前Ａ、後Ｂに交互に振り分けられた被選別物Ｗは、この振分弁６の前Ａ、後Ｂ下部に配置して回転の各繰出羽根板８Ａ、８Ｂに交互に供給される。各繰出羽根板８においては、回転する前後の繰出羽根板８間の羽根間隔部２０に供給されて、この羽根間隔部２０では回転の上位置から下位置にわたる回転位相の移動によって、繰出羽根板８によって受けられていた被選別物Ｗはこの回転周面部の繰出案内板９面に案内されて、この下側の計量受板１０上面に落下案内される。この計量受板１０によって受けられる被選別物Ｗは、回転方向の前後に位置する繰出羽根板８の回転速度よりも高速度で落下して最下端部の計量受板１０に受けられて、このとき後続の繰出羽根板８による繰出作用を受けない時間的計量間隔を有する。この時間的計量間隔において計量装置４による計量を行わせる。この計量受板１０において受けられて計量された被選別物Ｗは、該後続の繰出羽根板８の回転によって掻き出されて、下側を移送される選別皿２に落下供給される。後Ｂ側の繰出羽根板８Ｂによって供給される選別皿Ｂは一皿おきに行われ、この被選別物Ｗの供給されなかった空きの選別皿２Ａに対して、前Ａ側の繰出羽根板８Ａにより被選別物Ｗの繰出供給を行う。【００１６】  さらには、前記供給コンベア１上には、被選別物Ｗの底面を受けて一側へ回転する揃えローラ１１と、この揃えローラ１１によって揃えられた被選別物Ｗの一側端を切断するカッター１２を設けたことを特徴とする。供給コンベア１の各仕切片５間に供給する被選別物Ｗが長物である場合は、搬送途中でこの被選別物Ｗの下面が回転する揃えローラ１１による接触を受けて、この搬送方向の一側へ移動されて揃えられる。このとき被選別物Ｗは各前後の仕切片５間の谷間部間に位置して、この仕切片５間に沿って移動案内されるため、揃えローラ１１による摩擦力を受けても、被選別物Ｗの搬送姿勢を乱さない。そして、この揃えられた被選別物Ｗの一端部をカッター１２に作用させて一定の長さに切断させる。又、この揃えローラ１１を搬送方向へ向けて前上り傾斜に設定構成する場合にあっては、被選別物Ｗが湾��した形態であっても、この底面に揃えローラ１１の回転周面を正確に摺接させて、的確な揃え作用を行うことができる。【００１７】  又、前記前記補給コンベア１６は適宜の間隔を有して左右一対、二条形態にして前後のスプロケット軸２１間に掛け渡して、モータＭ１によって駆動する。又、この前側の供給コンベア１は、前後のスプロケッ軸２２間にわたって掛け渡して、前記補給コンベア１６や、選別コンベア３、及び繰出羽根板８等と共にこのモータＭ１によって連動駆動される。モータＭ１によって選別コンベア３のチエン１７を掛け渡しているスプロケット軸４８を伝動し、このスプロケット軸４８からスプロケット軸２３、クランク軸２８、及び各スプロケット軸２１、２２等をチエン伝動する。前後の繰出羽根板８の羽根軸３２はこのスプロケット軸２３からチエン伝動する。この供給コンベア１は、前後のスプロケット軸２２間に掛け渡される左右一対のテエン４１の外周部に樋状形態の受板４２を一定間隔に配置したもので、各受板４２の前後にはこの受底４３より適宜高さの仕切片５を形成して、ウエーブコンベア形態に形成している。又、この左右二条のコンベア１の受板４２間に渡って長物被選別物Ｗの根元側と先端側の二個所を受けるように構成している。この供給コンベア１の前端部上に設けるカッター１２は、モータＭ２により駆動し、被選別物Ｗであるアスパラガスの根元側部を所定の長さに切り揃えるようにコンベアの搬送幅の根元寄り側に配置している。又、前記揃えローラ１１は、この供給コンベア１の搬送途中で、左右のコンベア間隔部に、左右二本を平行状にして設置する。この揃えローラ１１のローラ軸２４を搬送方向に沿わせ、前上がり形態に傾斜して、回転上面がこのコンベア１の仕切片５間の谷部受底４３面から仕切片５上部の回転域側に向けて前上がり傾斜形態に形成している。この揃えローラ１１をモータＭ３によって駆動し、被選別物Ｗを前記カッター１２側とは反対側の、被選別物Ｗ先端側へ押して移動させるように回転する。この供給コンベア１の該カッター１２側と反対側に沿って、被選別物Ｗの先端部を突き揃えて摺接案内する案内板２５を左右移動調節可能に設け、切断長さを調節することができる。又、前記カッター１２による切断位置には、この切断する被選別物Ｗを受底４３面に押さえる押えローラ４４を設けて、切断するときの被選別物Ｗを移動させないように固定して、正確な切断を行わせる。この押えローラ４４は、スポンジゴム材等からなり、基台１５フレームに対して支軸４５周りに上下揺動自在に設けた支持アーム４６の先端部に回動自在に設ける。被選別物Ｗを押圧する毎にこれら押えローラ４４の弾性や、上下動等によって押え高さの位置を吸収しながら適宜の圧力で押えることができる。前記カッター１２によって切断された切れ端はこの下側に設けられる排出シュータ４７によって外側へ排出される。【００１８】  前記供給コンベア１の前端部には、この仕切片５の回動周部を覆う案内板２６を設け、被選別物Ｗが前側へ飛び出さないように案内する構成としている。振分弁６は、この案内板２６の下端部に横方向の弁軸２７の周りに前後回動自在に支持し、前記供給コンベア１等と連動されるクランク軸２８の回転によって���クランクロッド２９を介して回動駆動される。このクランクロッド２９の前端部には長穴３０を形成して、この長穴３０を振分弁６の側端部に突出の係合ピン３１に嵌合している。このクランクロッド２９の前後方向の揺動終端部において、長穴３０の後端、前端により係合ピン３１が係合されて振分弁６を快どうする。この振分弁６を後側に回動すると、該上側の供給コンベア１側から落下される被選別物Ｗをこの振分弁６の前Ａ側へ落下案内することができ、又、振分弁６を前側へ回動すると被選別物Ｗを逆に後Ｂ側へ案内するように構成する。この振分弁６は供給コンベア１の仕切片５等の回動と同期して回動して、連続供給される各被選別物Ｗを一個毎前後に交互に振り分けて落下案内する。この振分弁６には前後に回動した回動位置を維持するトグルスプリングを設けて、このトグルスプリングに抗して該クランクロッド２９で回動する形態とすることもできる。【００１９】  このように振分弁６による前後振分位置の下側に、前後一対の繰出羽根板８Ａ、８Ｂを配置している。これら各繰出羽根板８は横方向の羽根軸３２の周りに四等分角位置に略放射方向へ向けて形成し、前記供給コンベア１と同期して回転すると共に、一定の位相差を保持して回転するように連動する。これら前後の繰出羽根板８Ａ、８Ｂは、前記振分弁６に対して前後対称状位置に配置される。この各繰出羽根板８の回転外周部に沿って回転側下方にわたって半円筒形態の繰出案内板９を設ける。この繰出案内板９の下端の底部に同円筒状延長形態の計量受板１０を設ける。これら前後の各計量受板１０Ａ、１０Ｂは前後のロードセルからなる計量器７Ａ、７Ｂに支持させて、各々これら計量受板１０Ａ、１０Ｂに載せられた被選別物（計量物）Ｗの重量を計測するように構成する。各前後の計量受板１０Ａ、１０Ｂの前端部の繰出口３３Ａ、３３Ｂを、前後の選別皿２Ａ、２Ｂ上に対向してのぞませている。そして後側の繰出口３３Ｂから繰り出された被選別物Ｗが選別皿２Ｂに供給されると、前側の繰出口３３Ａから繰り出される被選別物Ｗは、該繰出口３３Ｂからは供給されなかった残りの空の選別皿２Ａに供給される。又、この選別皿２を有する選別コンベア３は、これら各繰出羽根板８や、供給コンベア１等と一定の連動タイミングのもとに駆動されて、各選別皿２に対する被選別物Ｗの供給を正確に行わせる。【００２０】  前記選別コンベア３は、選別皿２を搬送姿勢に支持して摺動案内するガイドレール３６と、ガイドピン３７を配置し、この選別皿２の横端に設けるガイドピン３７を、基台１５側に設けるガイドレール３６に支持させて摺動案内させて、被選別物Ｗを受けた姿勢で搬送することができる。このガイドレール３６の途中選別位置には、開閉ガイド３８を配置している。前記計量器７の計量に基づいて、コントローラを介して選別位置を決めると共に、この選別位置の電磁切替器５０を出力して、該開閉ガイド３８を開いて、ガイドピン３７の支持摺動案内を外すことができる。この開閉ガイド３８の開きによって選別皿２を支持軸１８の周りに回動転倒させて、搬送している被選別物Ｗを所定選別位置のシュート１９へ排出するように構成している。【００２１】  前記補給コンベア１６によって搬送される被���別物Ｗは、供給コンベア１の各前後の仕切片５間に一個宛供給される。この被選別物Ｗがアスパラガスのような長物である場合は、仕切片５間の谷間底板４３部に沿って横方向に向けた姿勢に載置する。この供給コンベア１の回転によって搬送されると、この被選別物Ｗの底面が回転する揃えローラ１１に乗り上がるようになるため、この揃えローラ１１の回転摩擦を受けて、被選別物Ｗの先端部がコンベア１の一側部の案内板２５に押し当てられて揃えられる。このとき長もの被選別物Ｗが湾曲した形態であって一部底板４３から浮上した形態にあっても、揃えローら１１が傾斜しているため、搬送に従って順次被選別物Ｗがこの揃えローラ１１の上面に掬い上げられるようになり、この揃えローラ１１による案内板２５側への送り揃えを確実に行わせる。このようにして先端部を案内板２５に押し当てて揃えられた被選別物Ｗは、根部がカッター１２の回転位置において切断されて、長もの被選別物Ｗでは長さを一定に揃えられる。【００２２】  このようにして、供給コンベア１の前端部に搬送された被選別物Ｗは、案内板２６に案内されて、この下端部から落下される。この落下部には該仕切片５が一こま回動される毎に振分弁６が前側、又は後側に回動していて、落下する被選別物Ｗをこの振分弁６によって前Ａ側と、後Ｂ側とに交互に落下案内する。このとき振分弁６は、クランク軸２８の回転によるクランクロッド２９の長穴３０と、これに係合する係合ピン３１を介して回動されるため、前後端の回動位置ではこの振分弁６の回動停止時間を長く維持することができ、この振分弁６による被選別物Ｗの振分落下案内を正確に行わせる。【００２３】  振分弁６の回動によって落下案内される被選別物Ｗは、前後の繰出羽根板８Ａ、８Ｂに交互に供給されれる。各羽根間隔部２０に供給された被選別物Ｗはこれら繰出羽根板８に受けられるが、この回転に伴って、この下側部の繰出羽根板８面の先端部と繰出案内板９との間にわたって支持案内されるようになり、この羽根間隔部２０が底部の計量受板１０に至ると、繰出羽根８が回動しても被選別物Ｗはこの計量受板１０上に停止して、この停止時間間隔において計量器７により計測される。この計量が終わると羽根間隔部２０の後側部の繰出羽根板８の回転によって、この計量受板１０上の被選別物Ｗが繰出口３３側へ掻き出される。このように、計量受板１０上に載せられた被選別物Ｗは、同じ羽根間隔部２０の前、後側の繰出羽根板８の接触から離れた状態におくため、計量器７による計量を正確に行うことができる。
【図面の簡単な説明】
【００２４】
【図１】  振分計量装置部の側面図。
【図２】  選別装置全体の平面図と、側面図。
【図３】  その供給コンベア部の背面図。
【図４】  その揃えローラ部の側面図。
【符号の説明】
【００２５】  １  供給コンベア
２（２Ａ、２Ｂ）      選別皿
３  選別コンベア
４  振分計量装置
５  仕切片
６  振分弁
７（７Ａ、７Ｂ）      計量器
８（８Ａ、８Ｂ）      繰出羽根板
９  繰出案内板
１０（１０Ａ、１０Ｂ）  計量受板
１１  揃えローラ
１２  カッター
【図１】
2008012521.tif 000003
【図２】
2008012521.tif 000004
【図３】
2008012521.tif 000005
【図４】
2008012521.tif 000006